【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
半透明なカード表面および透明なカード表面の少なくとも１つのカード表面と、
前記カード表面に関連し、該カード表面を実質的に覆っている赤外線遮断物質を含む機械が認識できる化合物とから成り、
該カードがカード読み取り機に挿入された時に、該カードがカード表面上の実質的に全ての点で赤外線を遮断可能である、
カード。
【請求項２】
前記カードは、取引カード、身分証明書、スマートカード、クレジットカード、チャージカード、デッビトカード、アクセスカード、情報記憶カード、電子化商業カード、ドキメントおよび紙のうちの少なくとも１つである、請求項１に記載のカード。
【請求項３】
前記機械が認識できる化合物には、化学薬品、溶液、染料、積層材、顔料、カプセルに包まれた顔料、被膜、フィルム、糸、プラスチック、インク、濃縮物、熱可塑性マトリックス、熱硬化性アトリックス、繊維、紙およびプランセットのうちの少なくとも１つが含まれる、請求項１に記載のカード。
【請求項４】
前記機械が認識できる化合物には、目に見えない、目に見えるまたは着色した少なくとも１つの化合物が含まれる、請求項１に記載のカード。
【請求項５】
前記機械が認識できる化合物には赤外線インクが含まれる、請求項１に記載のカード。
【請求項６】
前記機械が認識できる化合物には、約０．００１から４０．０重量％の範囲の赤外線活性化材料から成る赤外線インクが含まれる、請求項１に記載のカード。
【請求項７】
前記機械が光学的に認識できる化合物には、光学的に認識できる化合物が含まれる、請求項１に記載のカード。
【請求項８】
前記機械が認識できる化合物は、少なくとも、赤外線を遮断する、拡散する、反射する、屈折させる、および吸収する内のいずれかで構成されている、請求項１に記載のカード。
【請求項９】
前記機械が認識できる化合物には、結合剤、紫外線吸収体、反射材、酸化防止剤、蛍光増白剤、色シフタ、加工改善に適合した化学薬品、および流動学的特性を調整するのに適合した化学薬品のうち少なくとも１つが含まれる、請求項１に記載のカード。
【請求項１０】
前記機械が認識できる化合物には、Ｔｅｃｈ  Ｍａｒｋ  Ｍｉｘｉｎｇ  Ｃｌｅａｒのマークで販売されている約９８重量％の溶媒が蒸発するスクリーン  インクと、Ｅｐｏｌｉｇｈｔ  VII−１６４のマークで販売されている約２重量％の染料が含まれる、請求項１に記載のカード。
【請求項１１】
前記機械が認識できる化合物には、Ｅｐｏｌｉｎ  VII−１６４のマークで販売されている約１．５重量％の染料、Ｔｅｃｈ  Ｍａｒｋ  Ｍｉｘｉｎｇ  Ｃｌｅａｒのマークで販売されてる約９６．５％のスクリーン  インク、およびＥｐｏｌｉｇｈｔ  VI−３０のマークで販売されている約２．０重量％の染料が含まれる、請求項１に記載のカード。
【請求項１２】
前記機械が認識できる化合物の１００ポンドには、約９９．０ポンド（４４．８ｋｇ）のポリ塩化ビニルと、ポリ塩化ビニルプラスチックとＥｐｏｌｉｇｈｔ  VII−１７２のマークで販売されている染料との約１ポンドの混合物とが含まれ、該１．０ポンドの混合物は約４．１重量％のＥｐｏｌｉｇｈｔ  VII−１７２の染料および９５．９重量％のポリ塩化ビニルプラスチックから成る請求項１に記載のカード。
【請求項１３】
前記機械が認識できる化合物には、ＰＥＴプラスチックが含まれる、請求項１に記載のカード。
【請求項１４】
前記機械が認識できる化合物には、Ｔｅｃｈ  Ｍａｒｋ  ｍｉｘｉｎｇ  ｃｌｅａｒのマークで販売されている約８０重量％のスクリーン  インク、約７重量％のＶＭＣＡ樹脂、約１０重量％のシクロヘキサノン、およびＥｐｏｌｉｇｈｔ  VII−１６４のマークで販売されている約３重量％の染料が含まれる、請求項１に記載のカード。
【請求項１５】
前記機械が認識できる化合物には、約５５重量％のビニルＶＭＣＡ樹脂、約３５重量％のエトキシエチルプロピオネート溶媒、約５重量％のシクロヘキサノン、Ｅｐｏｌｉｇｈｔ  VII−１６４のマークで販売されている約３重量％の染料、およびＥｐｏｌｉｇｈｔ  VI−３０のマークで販売されている約２重量％の染料が含まれる、請求項１に記載のカード。
【請求項１６】
前記機械が認識できる化合物には、ＴＥＣＨ  ＭＡＲＫ  ＭＩＸＩＮＧ  ＣＬＥＡＲのマークで販売されている約９０重量％のスクリーン  インク、約３重量％のシクロヘキサノン、ＥＰＯＬＩＧＨＴ  VII−１６４のマークで販売されている約３重量％の染料、ｅｐｏｌｉｇｈｔ  VI−３０のマークで販売されている約２重量％の染料およびｅｐｏｌｉｇｈｔ  VII―６０８４のマークで販売されている約２重量％の染料が含まれる、請求項１に記載のカード。
【請求項１７】
半透明なカード表面および透明なカード表面のうち少なくとも１つのカード表面と、
前記カード表面に関連し、該カード表面を実質的に覆っている赤外線遮断物質を含む機械が認識できる化合物とから成り、
ホログラフ箔、集積回路チップ、磁気ストライプ、不透明度階調度、浮き彫りされた文字、署名欄、テキストおよびロゴのうちの少なくとも１つと、    を備え、
これらの構成により、前記カードが、カード読み取り器内のセンサを前記センサの位置にかかわらず、前記カードの前記表面に沿って作動させる該カード。
【請求項１８】
前記カードは、取引カード、身分証明書、スマートカード、クレジットカード、チャージカード、デビットカード、アクセスカード、情報記憶カード、電子化商業カード、ドキメントおよび紙のうちの少なくとも１つである、請求項１７に記載のカード。
【請求項１９】
前記機械が認識できる化合物には、被膜、フィルム、糸、プラスチック、インク、繊維、紙、およびプランシェットのうち少なくとも１つが含まれている、請求項１７に記載のカード。
【請求項２０】
不透明なカード表面、半透明のカード表面又は透明なカード表面の少なくとも１つと、
前記カード表面に関連し、該カード表面を実質的に覆っている赤外線遮断物質を含む機械が認識できる化合物と、
ホログラフ箔と、
集積回路チップと、
磁気ストライプと、
を備え、
これらの構成により、前記カードが、カード読み取り器内のセンサを、前記カードの前記表面に近接した前記センサの位置にかかわらず、作動させる該カード。
【請求項２１】
半透明なカード表面、または透明なカード表面の少なくとも１つのカード表面と、
前記カード表面に関連し、該カード表面を実質的に覆っている赤外線遮断物質を含む機械が認識できる化合物であって、可視光線に対して実質的に透過性である該化合物と、
から成り、
この構成により、該カードが、カード読み取り器内のセンサを色々の位置で作動が可能である、可視光線に対して実質的に透過性であるカード。
【請求項２２】
半透明なカード表面、または透明なカード表面の少なくとも１つのカード表面と、
ホログラフ箔、集積回路チップ、磁気ストライプ、不透明度階調度、浮き彫りされた文字、署名欄、テキストおよびロゴのうちの少なくとも１つと、
前記カード表面に関連し、該カード表面を実質的に覆っている赤外線遮断物質を含む機械が認識できる化合物であって、可視光線に対して実質的に透過性である該化合物と、
から成り、
この構成により、該カードが、該カードに沿った該センサの位置にかかわりなく、カード読み取り器内のセンサを、作動が可能である、
ことを特徴とする可視光線に対して実質的に透過性であるカード。
【請求項２３】
少なくとも２層のＰＥＴ赤外線の間に赤外線フィルムを配置するステップを備える、カードが、該カードのカード表面に近接するセンサの位置にかかわりなく、カード読み取り器内でセンサを動作させることが可能である、可視光線に対して実質的に透過性である該カードを製作するプロセス。
【請求項２４】
実質的に透明又は半透明なカードにより、赤外線センサと磁気ストライプ読み取り器を備えるトランザンクション機械を作動する方法において、
（ａ）透明な表面および半透明な表面の一方と、該表面を実質的に覆っている赤外線遮断物質と、機械が認識できる化合物とを有するカードを提供するステップと、
（ｂ）該カードを該トランザンクション機械に挿入するステップと、
（ｃ）該磁気ストライプ読み取り器に該磁気ストライプをスキャンさせる為に、該カード上の赤外線遮断物質の存在を監視するステップと、
を備える該方法。
【請求項２５】
半透明なカード表面と、透明なカード表面の少なくとも１つのカード表面と、
実質的に可視光線に対して透過性である赤外線遮断物質を含む機械が認識できる化合物であって、該機械が認識できる物質が、色々な位置において該カードとインターフェースする入力センサを作動できるように、該カード表面上に配置された該化合物と、
からなる、少なく構成層を通して可視光線に対して透過性である部分を含むカード。